(57)【特許請求の範囲】
【請求項１】
撮像装置であって、
被写体を撮像し画像データを得る撮像手段と、
ユーザからの操作を受け付ける入力手段と、
音声を再生する再生手段と、
所定の操作に応じて、前記再生手段により音声を再生しながら、前記撮像手段により得られた画像データをスルー画として表示手段に表示するよう制御する制御手段と、
前記スルー画の表示中に前記入力手段により動画データの記録に関する第１の操作を受け付けた場合、前記制御手段は前記再生手段による音声の再生を停止するよう制御し、
前記第１の操作に基づき前記音声の再生を停止した状態で、動画データの記録に関する第２の操作を受け付けた場合、前記制御手段は動画データの記録を開始するよう制御することを特徴とする撮像装置。
【請求項２】
前記第１の操作は、前記動画データの記録の準備動作を行うための操作であることを特徴とする請求項１に記載の撮像装置。
【請求項３】
前記動画データの記録の準備動作は、オートフォーカス処理を含むことを特徴とする請求項２に記載の撮像装置。
【請求項４】
前記第１の操作を受け付けたことに応じて、前記制御手段は前記音声の再生を停止するとともに、オートフォーカス処理を行うよう制御することを特徴とする請求項１または２に記載の撮像装置。
【請求項５】
前記入力手段は１つのスイッチ手段を含み、前記第１の操作は前記１つのスイッチ手段を第１の状態にする操作であることを特徴とする請求項１乃至４のいずれか１項に記載の撮像装置。
【請求項６】
前記第２の操作は前記１つのスイッチ手段を第１の状態とは異なる第２の状態にする操作であることを特徴とする請求項５に記載の撮像装置。
【請求項７】
前記第１の操作は前記１つのスイッチ手段を半押し状態にする操作であり、前記第２の操作は前記１つのスイッチ手段を全押し状態にする操作であることを特徴とする請求項６に記載の撮像装置。
【請求項８】
前記入力手段は、前記１つのスイッチが第１の状態にされた後に、前記第２の操作が受け付け可能になることを特徴とする請求項５乃至７のいずれか１項に記載の撮像装置。
【請求項９】
前記第１の操作に基づき前記音声の再生を停止した場合に、前記制御手段は前記音声の停止位置を記憶手段に記憶するよう制御することを特徴とする請求項１乃至８のいずれか１項に記載の撮像装置。
【請求項１０】
前記動画データの記録が終了した後、前記制御手段は前記記憶手段に記憶した停止位置に基づき、前記音声の再生を再開することを特徴とする請求項９に記載の撮像装置。
【請求項１１】
イヤホンを接続可能な接続手段をさらに有し、
前記イヤホンが接続されている場合、前記制御手段は前記第１の操作を受け付けた場合であっても前記再生手段による音声の再生を停止しないよう制御することを特徴とする請求項１乃至１０のいずれか１項に記載の撮像装置。
【請求項１２】
撮像装置の制御方法であって、
撮像手段により被写体を撮像し画像データを得る工程と、
所定の操作に応じて、再生手段により音声を再生しながら、前記撮像で得られた画像データをスルー画として表示手段に表示する工程と、
前記スルー画の表示中に、動画データの記録に関する第１の操作を受け付ける工程と、
前記第1の操作を受け付けた場合、再生中の音声の再生を停止する工程と、
動画データの記録に関する第２の操作を受け付ける工程と、
前記第１の操作に基づき前記音声の再生を停止した状態で前記第２の操作を受け付けた場合、動画データの記録を開始する工程とを有することを特徴とする撮像装置の制御方法。
【請求項１３】
コンピュータを請求項１乃至１１のいずれか１項に記載の撮像装置の各手段として機能させる、コンピュータが実行可能なプログラム。
【発明の詳細な説明】
【技術分野】
【０００１】
本発明は、特に、音声ファイルを再生するために用いて好適な撮像装置、撮像装置の制御方法及びプログラムに関する。
【背景技術】
【０００２】
従来、動画データと音声データとを合成して記憶する撮像装置が知られている（例えば、特許文献１参照）。さらに、動画の撮影機能の１つとして、短時間での撮影を繰り返し、撮影した動画を並べ替えてＢＧＭ（Back Ground Music）を付加して再生する機能が知られている。この機能を用いることにより、ＰＣ（Personal Computer）で編集した動画と同じような動画を簡単に作成することができる。例えば、動画撮影後に編集作業を行わずに、公開目的用などの動画を手軽に生成することができる撮像装置が知られている。
【先行技術文献】
【特許文献】
【０００３】
【特許文献１】特開２００６−２６１９５７号公報
【発明の概要】
【発明が解決しようとする課題】
【０００４】
前述した装置の機能は、動画に音声ファイルを付加して再生することを前提とした機能である。そこで、ユーザは狙ったイメージで撮影できるよう、動画を撮影する際に付加予定の音声ファイルを再生することが一般に行われる。しかしながら、動画撮影を開始した場合おいても音声ファイルが再生されてしまうため、音声がそのままマイクから録音されてしまうという問題点がある。
【０００５】
本発明は前述の問題点に鑑み、動画を撮影する前に音声ファイルを再生した場合に、撮影中に音声が録音されてしまうことを防止できるようにすることを目的としている。
【課題を解決するための手段】
【０００６】
本発明の撮像装置は、撮像装置であって、被写体を撮像し画像データを得る撮像手段と、ユーザからの操作を受け付ける入力手段と、音声を再生する再生手段と、所定の操作に応じて、前記再生手段により音声を再生しながら、前記撮像手段により得られた画像データをスルー画として表示手段に表示するよう制御する制御手段と、前記スルー画の表示中に前記入力手段により動画データの記録に関する第１の操作を受け付けた場合、前記制御手段は前記再生手段による音声の再生を停止するよう制御し、前記第１の操作に基づき前記音声の再生を停止した状態で、動画データの記録に関する第２の操作を受け付けた場合、前記制御手段は動画データの記録を開始するよう制御することを特徴とする。
【発明の効果】
【０００７】
本発明によれば、短時間の動画を撮影する場合など、音声に合わせた撮影イメージにより撮影することができ、音声が録音されてしまうことを防止できる。
【図面の簡単な説明】
【０００８】
【図１】実施形態に係るデジタルカメラの構成例を示すブロック図である。
【図２】動画を撮影する処理手順の一例を示すフローチャートである。
【図３】設定画面及び選択画面の一例を示す図である。
【図４】動画を撮影する処理手順の一例を示すフローチャートである。
【発明を実施するための形態】
【０００９】
（第１の実施形態）
以下、本発明の好ましい実施形態を、添付の図面に基づいて詳細に説明するが、本発明は以下の実施形態に限定されない。また、本発明の実施形態は発明の最も好ましい形態を示すものであり、発明の範囲を限定するものではない。
【００１０】
図１は、本実施形態に係るデジタルカメラ１００の構成例を示すブロック図である。
図１に示すように、デジタルカメラ１００では、撮影レンズ１０１と、絞り量を調節する機能を備えるシャッター１０２とを通して撮像素子１０３に光学像が結像される。撮像素子１０３は、結像された光学像を電気信号に変換し、アナログ信号を出力する。なお、撮像素子１０３としてはＣＣＤやＣＭＯＳイメージセンサなど、周知の素子を用いてよい。Ａ／Ｄ変換器１０４は、撮像素子１０３から出力されたアナログ信号をデジタルデータに変換する。
【００１１】
タイミング発生部１０５は、メモリ制御部１０６及び中央制御部１０７により制御され、撮像素子１０３、Ａ／Ｄ変換器１０４、Ｄ／Ａ変換器１０８にクロック信号や制御信号を供給する。画像処理部１０９は、Ａ／Ｄ変換器１０４からのデジタルデータ或いはメモリ制御部１０６から供給されたデータに対して所定の画素補間処理や色変換処理を行う。また、画像処理部１０９は、撮像した画像データを用いて所定の演算処理を行い、この演算結果を中央制御部１０７に供給する。また、画像処理部１０９は、撮像した画像データを用いて所定の演算処理を行い、得られた演算結果に基づいてＴＴＬ（スルー・ザ・レンズ）方式のＡＷＢ（オートホワイトバランス）処理を実現する。
【００１２】
中央制御部１０７は、画像処理部１０９で得られた演算結果に基づいて、Ａ／Ｄ変換器１０４のレンズ位置やシャッター１０２の絞り量を制御することによって、ＴＴＬ方式のＡＦ（オートフォーカス）や、ＡＥ（自動露光調整）を行う。同様に、中央制御部１０７は、画像処理部１０９で得られた演算結果に基づいて、フラッシュ１１４を制御することによりＴＴＬ方式のＥＦ（フラッシュプリ発光）処理を実現する。
【００１３】
メモリ制御部１０６は、Ａ／Ｄ変換器１０４、タイミング発生部１０５、画像処理部１０９、Ｄ／Ａ変換器１０８、メモリ１１０、及び圧縮／伸長部１１１などを制御する。Ａ／Ｄ変換器１０４からのデジタルデータは、画像処理部１０９とメモリ制御部１０６とを介して、或いはメモリ制御部１０６を直接介して、メモリ１１０（或いは別途設けられた画像表示メモリ）に画像データとして書き込まれる。
【００１４】
メモリ１１０に書き込まれた画像データは、Ｄ／Ａ変換器１０８を介して画像表示部１１２により画像として表示される。画像表示部１１２は、例えばＴＦＴを用いたＬＣＤなどから構成される。なお、本実施形態に係るデジタルカメラ１００では、撮像した画像データを画像表示部１１２から逐次表示することによって、ＥＶＦ（電子ビューファインダ）機能を実現することが可能である。また、画像表示部１１２は、中央制御部１０７の指示により表示をＯＮ／ＯＦＦすることが可能である。画像表示部１１２の表示制御をＯＦＦにした場合には、デジタルカメラ１００の電力消費量を大幅に低減することが可能となる。従って、ユーザが光学ファインダ１１３を用いて撮像を行う際には、操作部１２０の操作指示により表示制御をＯＦＦにすることにより、省電力を図ることが可能となる。
【００１５】
メモリ１１０には、撮影により取得した静止画データや動画データが格納される。メモリ１１０は、所定枚数の静止画データや所定時間の動画データを格納するのに十分な記録容量を備えている。これにより、デジタルカメラ１００は、複数枚の静止画を連続して撮像する連写撮影やパノラマ撮影の場合でも、高速かつ大量の画像データの書き込みをメモリ１１０に対して行うことが可能となる。また、メモリ１１０は、中央制御部１０７の作業領域としても使用される。
【００１６】
圧縮／伸長部１１１は、ＡＤＣＴ（適応離散コサイン変換）などにより画像データの圧縮（データの符号化）又は画像データの伸長（データの復号化）を行う。例えば、圧縮／伸長部１１１は、メモリ１１０格納された画像データを読み出して圧縮処理又は伸長処理を行い、処理後のデータをメモリ１１０に書き込む。
【００１７】
音声制御部１３５は、中央制御部１０７の制御の下、Ｄ／Ａ変換器１０８によりアナログ信号に変換された音声データを受け付けて、不図示の増幅回路を介したスピーカ１３６や、不図示のイヤホンジャックに装着されたイヤホンへの音声出力を制御する。また、音声制御部１３５は、中央制御部１０７の制御の下、マイク１３７から入力されたアナログ信号の音声データを、増幅回路を介した後にＡ／Ｄ変換器１０４へ出力する音声入力を制御する。
【００１８】
撮影制御部１３９は、中央制御部１０７の制御によりシャッター１０２を制御し、例えば、フラッシュ１１４と連携してシャッター１０２を制御することにより、フラッシュ調光を行う。また、撮影制御部１３９は、中央制御部１０７の制御により撮影レンズ１０１のフォーカシングを制御する。具体的には、撮影レンズ１０１におけるフォーカスレンズのレンズ位置に関する駆動制御を行う。例えば、ＴＴＬ方式を用いる場合は、撮像した画像データを画像処理部１０９で演算した演算結果に基づいて中央制御部１０７が撮影制御部１３９を制御する。さらに、撮影制御部１３９は、中央制御部１０７の制御により撮影レンズ１０１のズーミングを制御する。具体的には、撮影レンズ１０１におけるズームレンズのレンズ位置に関する駆動制御を行う。また、撮影制御部１３９は、中央制御部１０７の制御により覆い部材（バリア）により撮影レンズ１０１を保護するバリア１２８の開閉を制御する。
【００１９】
中央制御部１０７は、デジタルカメラ１００の全体を制御する。具体的には、中央制御部１０７は、システムメモリ１１５に記録されたプログラムデータを読み出してメモリ１１０の作業領域に展開し、その展開したプログラムデータとの協働によりデジタルカメラ１００全体の動作を制御する。
【００２０】
光学ファインダ１１３は、撮影レンズ１０１と撮像素子１０３との間において撮像素子１０３での露出時に跳ね上げる鏡やペンタプリズムを用いて撮影レンズ１０１から入射される光をスクリーンに投射し、被写体像を光学的に表示する。本実施形態のデジタルカメラ１００では、光学ファインダ１１３を用いることにより、画像表示部１１２の電子ファインダ機能を使用すること無しに撮影を行うことが可能である。また、光学ファインダ１１３内においては、前述した画像表示部１１２の一部が設けられる構成であってもよい。
【００２１】
フラッシュ１１４は、中央制御部１０７の制御の下で発光することにより、被写体に補助光を照射する。フラッシュ１１４は、ＡＦ時において被写体に補助光を照射する投光機能や被写体へ照射する光量の調整を行うフラッシュ調光機能などを有してもよい。
【００２２】
システムメモリ１１５は、中央制御部１０７の動作用の定数、変数、プログラムデータなどを記録する。システムメモリ１１５はまた、ＡＥで用いるプログラム線図も格納している。なお、プログラム線図は、ＴＴＬ方式のＡＥ時などに参照されるデータであり、画像処理部１０９で得られた輝度値などの演算結果に対する絞り量やシャッター速度などの制御値が予め定義されたテーブルデータである。
【００２３】
本実施形態のデジタルカメラ１００では、中央制御部１０７でプログラムを実行することにより、画像表示部１１２や音声制御部１３５を中央制御部１０７が制御する。これにより、文字、画像、音声などを用いて動作状態やメッセージなどをユーザに提示する。画像表示部１１２やスピーカ１３６などユーザに提示する構成は、例えば、デジタルカメラ１００の操作部１２０近辺の視認しやすい位置に配置されている。なお、画像表示部１１２の一部は光学ファインダ１１３内にも設置されており、一部の情報は光学ファインダ１１３内に設置された画像表示部１１２からも提示される。
【００２４】
また、デジタルカメラ１００では、中央制御部１０７の制御の下、動作状態やメッセージなどを画像表示部１１２やスピーカ１３６からユーザに提示した後に、操作部１２０などから操作を受け付ける。例えば、後述する外部機器から転送すべきデータを指定する場合には、データを指定するための画面を画像表示部１１２に表示し、操作部１２０からユーザの指定を受け付ける。
【００２５】
画像表示部１１２に表示される内容のうち、転送すべきデータを指定する画面以外にＬＣＤなどにおいて表示するものとしては、撮像に関する動作状態と撮像以外の動作状態との情報がある。例えば、撮像に関する動作状態の表示としては、シングルショット／連写撮像表示、セルフタイマー表示、圧縮率表示、記録画素数表示、記録枚数表示、残撮影可能枚数表示、シャッタースピード表示、絞り値表示、露光補正表示などがある。さらに、フラッシュ表示、赤目緩和表示、マクロ撮影表示などを含んでもよい。撮像以外の動作状態の表示としては、ブザー設定表示、時計用電池残量表示、電池残量表示、エラー表示、複数桁の数字による情報表示、記録媒体１９９の着脱状態表示、通信Ｉ／Ｆ動作表示、日付・時刻表示などがある。また、画像表示部１１２の表示内容のうち、光学ファインダ１１３内に表示するものとしては、合焦表示、手振れ警告表示、フラッシュ充電表示、シャッタースピード表示、絞り値表示、露光表示などがある。
【００２６】
不揮発性メモリ１１６は、電気的に消去・記録が可能なメモリであり、例えばＥＥＰＲＯＭ（Electrically Erasable and Programmable ROM）などであってよい。モード切替スイッチ１１７は、電源ＯＦＦ、自動撮影モード、撮影モード、パノラマ撮影モード、再生モード、マルチ画面再生・消去モード、ＰＣ接続モードなどの各機能モードの切り替えをユーザが設定するためのスイッチである。本実施形態では、モードの種類の１つに、短時間動画撮影モードがある。
【００２７】
第１シャッタースイッチ１１８（ＳＷ１）は、不図示のシャッターボタンの操作途中（例えば半押し状態）でＯＮとなるスイッチである。第１シャッタースイッチ１１８のＯＮ入力により、中央制御部１０７は、第１の指示としてＡＦ、ＡＥ、ＡＷＢ、ＥＦなどの記録処理の準備に関わる処理動作を開始する。
【００２８】
第２シャッタースイッチ１１９（ＳＷ２）は、シャッターボタンの操作完了（例えば全押し状態）でＯＮとなるスイッチである。第２シャッタースイッチ１１９のＯＮ入力により、中央制御部１０７は、第２の指示として撮影に関わる一連の動作、即ち、露光処理、現像処理、記録処理を実行する。また、露光処理では、撮像素子１０３から読み出した信号（アナログ信号）がＡ／Ｄ変換器１０４、メモリ制御部１０６を介してデジタルデータとしてメモリ１１０に書き込まれる。さらに、現像処理では、画像処理部１０９やメモリ制御部１０６がメモリ１１０に書き込まれたデジタルデータに対して画像処理を施し、その画像処理後のデジタルデータがメモリ１１０に書き込まれる。そして、記録処理では、現像処理後にメモリ１１０に書き込まれたデジタルデータが読み出され、圧縮／伸長部１１１で圧縮された後に記録媒体１９９に書き込まれる。このように記録開始を指示する。
【００２９】
操作部１２０は、各種ボタンやタッチパネルなどからなる。具体的には、各種設定メニューを表示させて設定を行うためのメニューボタン、メニュー移動ボタン、セットボタンなどがある。例えば、後述する外部機器から転送すべきデータを指定する場合には、複数の候補データの中からメニュー移動ボタンなどにより選択され、セットボタンで指定されたデータが転送すべきデータとして指定される。また、撮像時における各種設定ボタンとしては、マクロボタン、フラッシュ設定ボタン、単写／連写／セルフタイマー切替ボタン、露出補正ボタン、撮影画質選択ボタンなどがある。また、撮像した画像の再生や出力すべき画像の選択設定を行うためのマルチ画面再生改ページボタン、再生画像移動ボタンや、日付などの設定を行うための日付／時間設定ボタンなどがある。
【００３０】
また、デジタルカメラ１００は、動画撮影の開始及び終了の指示をユーザから受け付けるための動画ボタン１３８を備える。デジタルカメラ１００では、動画撮影されていない時に動画ボタン１３８が押下されると動画撮影を開始し、動画撮影中に動画ボタン１３８が押下されると動画撮影を終了する。なお、短時間動画撮影モードに設定されている場合は、第２シャッタースイッチ１１９（ＳＷ２）により動画の撮影を開始し、所定時間が経過すると、自動的に動画の撮影を終了する。デジタルカメラ１００は、動画撮影中の静止画撮影においてＷＢ（ホワイトバランス）の動作を設定するためのユーザインターフェイスを備えてもよい。なお、動画撮影中の静止画撮影時におけるＷＢの動作設定では、色再現性優先モード、動画優先モード、静止画優先モードの３種類のモードから１つを選択してもよい。
【００３１】
電源制御部１２１は、電池検出回路、ＤＣ−ＤＣコンバータ、通電するブロックを切り替えるスイッチ回路など（いずれも図示しない）により構成されている。電源制御部１２１は、中央制御部１０７の制御の下、電池の接続やその出力電圧などの検出、デジタルカメラ１００の各部への電力供給の制御などを行う。コネクタ１２２、１２３は、電源制御部１２１と電源部１２４とを接続する。電源部１２４は、アルカリ電池やリチウム電池などの一次電池やＮｉＣｄ電池やＮｉＭＨ電池、Ｌｉ電池などの二次電池、ＡＣアダプターなどであり、デジタルカメラ１００へ電力を供給する。
【００３２】
Ｉ／Ｆ１２５は、コネクタ１２６を介して接続する記録媒体１９９と内部バスとを通信可能に接続する。コネクタ１２６は、記録媒体１９９と電気的且つ物理的に接続し、記録媒体１９９とＩ／Ｆ１２５とを通信可能とするコネクタである。記録媒体着脱検知部１２７は、コネクタ１２６と記録媒体１９９との物理的な接続を検出するスイッチなどであり、記録媒体１９９がコネクタ１２６に装着されているか否かを検出し、その検出信号を中央制御部１０７へ出力する。
【００３３】
なお、本実施形態では、記録媒体１９９を取り付けるインターフェイス及びコネクタを１系統持つものとして説明している。もちろん、記録媒体１９９を取り付けるインターフェイス及びコネクタは、単数或いは複数、いずれの系統数を備える構成としても構わない。また、異なる規格のインターフェイス及びコネクタを組み合わせて備える構成としても構わない。インターフェイス及びコネクタとしては、ＳＤメモリカードなどの規格に準拠したものを用いて構成しても構わない。更に、コネクタ１２６に通信カードを装着した場合は、他のコンピュータやプリンタなどの周辺機器との間で画像データや画像データに付属した管理情報を転送し合うことが可能となる。例えば通信カードの例としては、ＬＡＮカード、モデムカード、ＵＳＢカード、ＩＥＥＥ１３９４カード、Ｐ１２９４カード、ＳＣＳＩカード、ＰＨＳデータ通信カードなどが挙げられる。
【００３４】
バリア１２８は、デジタルカメラ１００の撮影レンズ１０１を含む撮像部を覆うことにより、撮像部の汚れや破損を防止する。通信部１２９は、ＲＳ２３２Ｃ、ＵＳＢ、ＩＥＥＥ１３９４、Ｐ１２８４、ＳＣＳＩ、モデム、ＬＡＮ、無線通信などにより、外部機器との間でシリアル／パラレル通信によるデータの送受信を有線または無線で行う。コネクタ（アンテナ）１３０は、通信部１２９によりデジタルカメラ１００と他の機器（外部機器）とを、接続形態が有線であればコネクタで、無線であればアンテナで接続する。
【００３５】
ＲＴＣ（Real Time Clock）１３４は、中央制御部１０７の制御の下、時刻情報を出力する。なお、ＲＴＣ１３４は、電源制御部１２１とは別に内部電源を保持し、電源部１２４から通電がない状態であっても、計時可能となっている。記録媒体１９９は、コネクタ１２６を介してデジタルカメラ１００への着脱が可能なメモリカード或いはハードディスクドライブなどである。記録媒体１９９は、半導体メモリや磁気ディスクなどから構成される記録部１３１、記録部１３１とデジタルカメラ１００とを接続するＩ／Ｆ１３２を備えている。さらに、コネクタ１２６を介して電気的且つ物理的にデジタルカメラ１００と接続するためのコネクタ１３３を備えている。
【００３６】
なお、デジタルカメラ１００の中央制御部１０７は、１つのハードウェアで有っても良いし、複数のハードウェアから構成され、それらのハードウェアが協働して１つの中央制御部１０７としての機能を実現するものであってもよい。また、撮像素子１０３で撮像された画像データなど、外部装置へ供給に係るデータは、予め記録媒体１９９の記録部１３１に保存されているものとする。また、デジタルカメラ１００を制御するプログラムデータは、不揮発性メモリ１１６に記録されており、実行されると共にメモリ１１０にプログラムデータが展開され、中央制御部１０７にて展開されたプログラムデータが実行される。中央制御部１０７でプログラムデータが実行されることにより、デジタルカメラ１００では、記録部１３１に保存された画像データがロードされて画像表示部１１２に再生表示される。また、デジタルカメラ１００では、後述する処理が行われて、通信部１２９を介して接続する外部機器へ記録部１３１に保存された画像データの供給、又は、外部機器から指定した画像データの取得などが行われる。なお、本実施形態の説明では、動画の撮影が可能なデジタルカメラを採用したが、他にもデジタル一眼レフカメラやデジタルカムコーダなどであってもよい。
【００３７】
次に、デジタルカメラ１００の中央制御部１０７の制御により行われる処理について、図２及び図３を参照しながら説明する。
図２は、動画を撮影する処理手順の一例を示すフローチャートである。なお、図２に示す各処理は、中央制御部１０７の制御により行われる。
まず、ステップＳ２０１において、中央制御部１０７は、デジタルカメラ１００のモード切替スイッチ１１７により短時間動画撮影モードに設定されたことを検知するまで待機する。
【００３８】
そして、短時間動画撮影モードに設定されると、ステップＳ２０２において、選択する音楽ファイルを決定する。具体的は、まず、中央制御部１０７により図３に示すような設定画面３００ａを画像表示部１１２に表示する。本実施形態では短時間動画撮影モードを設定した際に設定画面を表示するようにしているが、設定メニューなどから任意に設定できるようにしてもよい。短時間動画撮影モードでは、例えば、図３の設定画面３００ａに示すような設定メニューを表示する。本実施形態において示される設定メニューは、「再生する音楽」、「音楽の再生方法」、「撮影時間」の３項目から構成されている。なお、以下の説明では、ユーザにより操作部１２０から「再生する音楽」が選択されるものとして説明する。
【００３９】
そして、ユーザにより操作部１２０が操作され、設定画面３００ａから「再生する音楽」が選択されると、次に、中央制御部１０７により選択画面３００ｂを画像表示部１１２に表示する。本実施形態では、４つの音楽が予めファイルやデータとして記録媒体１９９や不揮発性メモリ１１６に保存されており、選択画面３００ｂより保存された音楽を選択することが可能となる。図３の選択画面３００ｂでは、「ポップス」が選択された状態を示している。そして、ユーザにより操作部１２０が操作され、選択画面３００ｂから音楽が選択されると、設定画面３００ａに戻る。
【００４０】
次に、ステップＳ２０３において、再生箇所を指定する。具体的には、ユーザにより設定画面３００ａから「音楽の再生方法」が選択されることによって、中央制御部１０７により選択画面３００ｃを画像表示部１１２に表示する。選択画面３００ｃは、音楽の再生方法を設定するためのものであり、「先頭から再生」、「続けて再生」、「再生箇所を指定」の３項目から構成されている。このとき、「先頭から再生」が選択されると、撮影によって音楽ファイルの再生が中断された場合でも、必ず先頭から音楽ファイルを再生する。また、「続けて再生」が選択されると、撮影によって音楽ファイルの再生が中断された場合は中断した箇所から音楽ファイルを再生する。さらに、「再生箇所を指定」が選択されると、予め音楽の再生箇所を指定し、音楽ファイルの再生中は指定した箇所のみを再生する。なお、本実施形態では、再生箇所を時間で指定する構成となっている。また、図３に示す選択画面３００ｃでは、「続けて再生」が選択された状態を示している。そして、ユーザにより操作部１２０が操作され、選択画面３００ｃに示した何れかの再生方法が選択されると、設定画面３００ａに戻る。
【００４１】
次に、ステップＳ２０４において、撮影時間を指定する。具体的には、まず、ユーザにより設定画面３００ａから「撮影時間」が選択されることによって、中央制御部１０７により設定画面３００ｄを画像表示部１１２に表示する。一般的な動画撮影では、動画ボタン１３８を押下してから再び押下するまで撮影する。短時間動画撮影モードにおいては、予め設定された時間だけ撮影し、設定された時間を過ぎると自動的に撮影を終了する。ステップＳ２０４で指定する撮影時間は、短時間動画撮影モードで撮影する時間でありこの設定画面３００ｄにおいて、ユーザの指示のもと、動画の撮影時間を設定する。
【００４２】
ステップＳ２０２〜Ｓ２０４までの設定を終了し、画像表示部１１２に表示した設定画面３００ｄが消去されると、次のステップＳ２０５において、中央制御部１０７は、画像表示部１１２にスルー画を表示する処理を行う。ここで、スルー画を表示する処理とは、撮影した画像を画像表示部１１２に逐次表示する処理である。具体的には、撮像素子１０３から読み出した信号（アナログ信号）がＡ／Ｄ変換器１０４、メモリ制御部１０６を介してＤ／Ａ変換器１０８へ入力され、画像表示部１１２にリアルタイムの画像が逐次表示される。
【００４３】
次に、ステップＳ２０６において、中央制御部１０７は、音楽ファイルを再生する。具体的には、まず、記録媒体１９９や不揮発性メモリ１１６に保存された音楽ファイルを、メモリ１１０に展開する。そして、不揮発性メモリ１１６に保存された音楽再生プログラムを同様にメモリ１１０に展開することにより音楽ファイルを再生し、音声制御部１３５によりスピーカ１３６等から音楽を出力する。再生方法については、ステップＳ２０２、Ｓ２０３で設定した内容に従って再生する。
【００４４】
次に、ステップＳ２０７において、中央制御部１０７は、第１シャッタースイッチ１１８（ＳＷ１）が押下されるまで待機する。そして、第１シャッタースイッチ１１８（ＳＷ１）の押下が検知されると、ステップＳ２０８において、中央制御部１０７は、イヤホンが不図示のイヤホンジャックに装着されているか否かを判断する。この判断の結果、イヤホンが装着されている場合は、スピーカ１３６から音楽が出力されないため、音楽が録音されることはない。したがって、ステップＳ２１０に進む。一方、ステップＳ２０８の判断の結果、イヤホンが装着されていない場合は、ステップＳ２０９に進む。
【００４５】
ステップＳ２０９においては、中央制御部１０７は、音楽ファイルの再生を停止する。すなわち、メモリ１１０に展開した音楽再生プログラムに従い、音楽ファイルの再生を停止する。これにより、スピーカ１３６から音楽が出力されないようにする。このとき、中断した箇所から音楽ファイルを再生するように設定されている場合は、音楽の再生停止位置の情報をメモリ１１０に記憶する。次に、ステップＳ２１０において、撮影制御部１３９によりＡＦ（オートフォーカス）の処理を行う。ＡＦの処理については自明の技術であるため、詳細ない説明は割愛する。
【００４６】
次に、ステップＳ２１１において、中央制御部１０７は、第１シャッタースイッチ１１８（ＳＷ１）が押下中であるか否かを判断する。この判断の結果、押下中である場合、つまり、ステップＳ２０７より第１シャッタースイッチ１１８（ＳＷ１）が押下されたままである場合は、ステップＳ２１２に進む。一方、ステップＳ２１１の判断の結果、第１シャッタースイッチ１１８（ＳＷ１）の押下が中止（解除）された場合は、ステップＳ２０６に戻る。
【００４７】
次に、ステップＳ２１２において、中央制御部１０７は、第２シャッタースイッチ１１９（ＳＷ２）が押下されたか否かを判断する。この判断の結果、第２シャッタースイッチ１１９（ＳＷ２）が押下されていない場合は、ステップＳ２１１に戻る。一方、ステップＳ２１２の判断の結果、第２シャッタースイッチ１１９（ＳＷ２）が押下された場合は、ステップＳ２１３において、中央制御部１０７は、動画の記録を開始する。具体的には、撮像処理によって取得した動画のフレームデータ（動画フレーム）をメモリ１１０に蓄積し、Ｉ／Ｆ１２５、１３２を介して記録媒体１９９に記録する。なお、このときの記録方法は、動画フォーマットに依存し、ＭｏｔｉｏｎＪＰＧなど非圧縮動画である場合は圧縮／伸長部１１１により動画フレームを圧縮せず保存し、ＭＯＶなど圧縮動画である場合は圧縮／伸長部１１１により動画フレームを圧縮して保存する。なお、動画フレームの圧縮方法については、自明の技術であるため詳細な説明は割愛する。
【００４８】
次に、ステップＳ２１４において、中央制御部１０７により撮影時間がｎ秒を経過するまで撮影を続ける。このとき、現在の撮影時間とステップＳ２０４において予め設定した時間とを比較する。そして、現在の撮影時間が設定時間に達すると、ステップＳ２１５において、中央制御部１０７により動画の記録を終了し、ステップＳ２０５に戻る。具体的には、撮像処理によって取得した動画のフレームデータを記録媒体１９９に記録する処理を停止する。そして、動画の撮影情報を動画ファイルに付加し、ファイルの終端を示す記号を入力して、動画ファイルの生成を完了する。なお、撮影情報とは、撮影日時、撮影条件などの情報であり、撮影情報の１つには動画撮影前に再生した音楽ファイルの情報も含まれる。
【００４９】
また、ステップＳ２１５で動画撮影を終了し、ステップＳ２０５に戻ってスルー画を表示し、次のステップＳ２０６において、音楽ファイルの再生を再開する。なお、音楽ファイルの再生を再開する場合、ステップＳ２０３で行った設定に従う。「先頭から再生」を選択した場合は、音楽ファイルを先頭から再生する。また、「続けて再生」を選択した場合は、ステップＳ２０９でメモリ１１０に記録した停止位置から再生を再開する。また、「再生箇所を指定」を選択した場合、指定箇所から再生する。以上の処理により、短時間の動画を撮影する前に音声ファイルとして音楽ファイルを再生し、撮影中は音声ファイルの再生を停止する。
【００５０】
以上のように撮影を実行すると、短時間で撮影された動画ファイルがデジタルカメラ１００に装着された記録媒体１９９に記録される。ユーザの操作によってモード切替スイッチ１１７が再生モードに切り替えられると、中央制御部１０７は、短時間で撮影された動画ファイルをグループ化する。グループ化する際には、メタデータに記録された撮影日時の情報と、動画ファイルに記録する前に再生した音楽ファイルの情報とを用いてグループ化する。
【００５１】
また、再生モードにおいて動画ファイルを再生したい場合は、それぞれの動画を代表するサムネイルが画像表示部１１２にインデックス表示される。そして、そのサムネイルを選択すると、メタデータに記録された音楽ファイルを再生するとともに、グループ内の動画ファイルを連続して再生する。
【００５２】
また、短時間で撮影された複数の動画ファイルを１つのファイルとして合成する場合も同様である。ユーザの操作によって動画の合成が指示されると、中央制御部１０７は、短時間で撮影された動画ファイルを、メタデータに記録された撮影日時と、Ｓ音楽ファイルの情報とを用いてグループ化し、複数の動画ファイルを時間軸の古い順からつなげる処理を行う。次に、再生した音楽ファイルを１つにつなげた動画ファイルに関連付けて合成し、１つの動画ファイルとして記録媒体１９９に記録する。
【００５３】
以上のように本実施形態によれば、第１シャッタースイッチ１１８（ＳＷ１）が押下されると、音楽ファイルの再生を停止するようにした。これにより、短時間動画撮影モードに設定されている場合など、音声に合わせた撮影イメージにより撮影することができ、音声が録音されてしまうことを防止できる。
【００５４】
（第２の実施形態）
以下、本発明の第２の実施形態について説明する。第１の実施形態では、第１シャッタースイッチ１１８（ＳＷ１）が押下された段階で音楽の再生を停止した。これに対して本実施形態では、第１シャッタースイッチ１１８（ＳＷ１）が押下された段階で音楽の再生を開始し、第２シャッタースイッチ１１９（ＳＷ２）が押下された段階で音楽の再生を停止する例について説明する。なお、本実施形態に係るデジタルカメラ１００の構成については、第１の実施形態と同様であるため、説明は省略する。
【００５５】
図４は、動画を撮影する処理手順の一例を示すフローチャートである。なお、図４に示す各処理は、中央制御部１０７の制御により行われる。なお、ステップＳ４０１〜Ｓ４０５の各処理はそれぞれ、図２のステップＳ２０１〜Ｓ２０５の各処理と同じであるため、説明は割愛する。
【００５６】
次に、ステップＳ４０６において、中央制御部１０７は、第１シャッタースイッチ１１８（ＳＷ１）が押下されるまで待機する。そして、第１シャッタースイッチ１１８（ＳＷ１）が押下されると、ステップＳ４０７において、撮影制御部１３９によりＡＦ（オートフォーカス）の処理を行う。なお、このステップＳ４０７の処理は、図２のステップＳ２１０と同じである。
【００５７】
次に、ステップＳ４０８において、中央制御部１０７は、音楽ファイルを再生する。なお、処理内容については、図２のステップＳ２０６と同じである。そして、ステップＳ４０９において、中央制御部１０７は、第１シャッタースイッチ１１８（ＳＷ１）が押下中であるか否かを判断する。この判断の結果、押下中である場合、つまり、ステップＳ４０６より第１シャッタースイッチ１１８（ＳＷ１）が押下されたままである場合は、ステップＳ４１０に進む。一方、ステップＳ４０９の判断の結果、第１シャッタースイッチ１１８（ＳＷ１）の押下が中止された場合は、ステップＳ４１６に進み、音楽ファイルの再生を停止する。なお、この処理は図２のステップＳ２０９と同様である。そして、ステップＳ４０６に戻る。
【００５８】
次に、ステップＳ４１０において、中央制御部１０７は、第２シャッタースイッチ１１９（ＳＷ２）が押下されたか否かを判断する。この判断の結果、第２シャッタースイッチ１１９（ＳＷ２）が押下された場合は、ステップＳ４１１に進み、押下されていない場合は、ステップＳ４０９に戻る。次のステップＳ４１１及びＳ４１２は、それぞれ図２のステップＳ２０８及びＳ２０９と同様であり、ステップＳ４１３〜Ｓ４１５は、それぞれ図２のステップＳ２１３〜Ｓ２１５と同様である。また、動画撮影後の処理についても第１の実施形態と同様であるため、説明は省略する。
【００５９】
以上のように本実施形態によれば、第１シャッタースイッチ１１８（ＳＷ１）が押下されると、音楽ファイルを再生し、第２シャッタースイッチ１１９（ＳＷ２）が押下されると、音楽ファイルの再生を停止するようにした。これにより、短時間動画撮影モードに設定されている場合など、音声に合わせた撮影イメージにより撮影することができ、音声が録音されてしまうことを防止できる。
【００６０】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６１】
１０３  撮像素子、１０７  中央制御部、１０９  画像処理部、１１８  第１シャッタースイッチ（ＳＷ１）、１１９  第２シャッタースイッチ（ＳＷ２）、１３６  スピーカ
【図１】
0005836578.tif 000002
【図２】
0005836578.tif 000003
【図３】
0005836578.tif 000004
【図４】
0005836578.tif 000005